(57)【要約】      （修正有）【課題】より使い勝手のよい什器を提供する。【解決手段】支持体と棚材支持材５と棚材６を備え、支持体は、少なくとも一対の柱２１を有し、一対の柱２１は、正面に複数の第１係止孔を有し、棚材支持材５は、竪材５１と横材５２と傾斜材５３とからなる三角形状の左右一対のフレームを有し、竪材５１の柱２１と対向する一方の面には、第１係止孔に係合する棚材支持材係止爪が設けられ、竪材５１の正面となる他方の面には、複数の第２係止孔を有し、傾斜材５３の上面には、複数の第３係止孔が設けられており、棚材５は、一端に第３係止孔に係合する棚材係止爪が設けられており、棚材５に設けられた棚材係止爪は、棚材支持材５に設けられた第２係止孔にも係止できることを特徴とする什器。【選択図】図２
2022001105.tif 000002
【特許請求の範囲】
【請求項１】
支持体と棚材支持材と棚材を備え、
支持体は、少なくとも一対の柱を有し、
一対の柱は、正面に複数の第１係止孔を有し、  
棚材支持材は、竪材と横材と傾斜材とからなる三角形状の左右一対のフレームを有し、
竪材の柱と対向する一方の面には、第１係止孔に係合する棚材支持材係止爪が設けられ、
竪材の正面となる他方の面には、複数の第２係止孔を有し、
傾斜材の上面には、複数の第３係止孔が設けられており、
棚材は、一端に第３係止孔に係合する棚材係止爪が設けられており、
棚材に設けられた棚材係止爪は、棚材支持材に設けられた第２係止孔にも係止できるように構成されていることを特徴とする什器。
【発明の詳細な説明】
【技術分野】
【０００１】
本発明は、店舗等で商品を陳列する陳列什器に関する。
【背景技術】
【０００２】
従来、コンビニエンスストア、書店などで雑誌、書籍等の商品を陳列する多数の棚材付き什器が使用されていた。また、通常の商品を陳列する平板棚材を備えた什器も使用されていた。
【発明の概要】
【発明が解決しようとする課題】
【０００３】
本発明は、より使い勝手のよい什器の提供を課題とする。
【課題を解決するための手段】
【０００４】
本発明は、支持体２と棚材支持材５と棚材６を備え、支持体２は、少なくとも一対の柱２１を有し、一対の柱２１は、正面に複数の第１係止孔２１１を有し、棚材支持材５は、竪材５１と横材５２と傾斜材５３とからなる三角形状の左右一対のフレームを有し、竪材５１の柱２１と対向する一方の面には、第１係止孔２１１に係合する棚材支持材係止爪５１１が設けられ、竪材５１の正面となる他方の面には、複数の第２係止孔５１２を有し、傾斜材５３の上面には、複数の第３係止孔５３３が設けられており、棚材６は、一端に第３係止孔５３３に係合する棚材支持材係止爪５１１が設けられており、棚材６に設けられた棚材支持材係止爪５１１は、棚材支持材５に設けられた第２係止孔５１２にも係止できるように構成されていることを特徴とする什器１とすることで課題を解決した。
【発明の効果】
【０００５】
本発明により、使い勝手がよくなった。
【図面の簡単な説明】
【０００６】
【図１】什器の分解図
【図２】什器の構成要素を組み立てた説明図（Ａ）斜視図（Ｂ）側面図
【図３】実施例の棚材支持材の説明図（Ａ）側面図（Ｂ）斜視図（Ｃ）竪材拡大正面図
【図４】落下防止板の取り付け説明図
【図５】棚板支持材のバリエーションの説明図（Ａ）台形のもの（Ｂ）横材５２を有さないもの（Ｃ）竪材５１を有さないもの（Ｄ）四角形で傾斜材５３が直立しているもの
【図６】棚材の説明図（Ａ）棚材正面図（Ｂ）棚材側面図（Ｃ）図６（Ａ）のＡ−Ａ間の断面図
【図７】棚材の設置説明図（Ａ）棚材を９対取り付けた例（A-1）傾斜材の正面図（Ｂ）棚材を５対取り付けた例（B-1）竪材の正面図
【図８】補助パネル（パネル）を取り付けた什器の斜視図
【図９】補助パネル（パネル）の説明図（Ａ）  什器の側面図 (A-1)  図９（Ａ）の枠内拡大図（Ｂ）補助パネル（パネル）の側面図（Ｃ）補助パネル（パネル）の正面図
【図１０】補助パネル（パネル）の取り付け例の説明図（Ａ）平板棚材を用いた例の側面図（Ｂ）連結材保持材を用いた例の側面図
【図１１】平板棚材に設けた補助パネル係止孔の説明図
【発明を実施するための形態】
【０００７】
（実施例）
[各部材の説明]
図１は、什器１の分解図であり、什器１を構成する構成要素が示されている。また、図２は什器１の構成要素を組み立てた説明図であり、図２（Ａ）は斜視図、図２（Ｂ）は側面図である。
什器１は、大きく分けて、（１）支持体２、（２）棚材支持材５、（３）棚材６および（４）補助パネル（パネル）８の４つの部材から構成されている。それぞれの部材の詳細は後述するが、概ね以下の部材が含まれている。
（１）支持体２
また、図１の柱拡大図で示すように、柱２１の前面には第１係止孔２１１が、上端から下端まで複数設けられており、後述する棚材支持材５や平板棚材７を取り付けるために用いられる。一対の柱２１は、底部支持材２４に締結されているため取り外すことができる。第１連結材２２と網材２５と第２連結材２３もそれぞれ締結により取り付けられているため取り外すことができる。
また、車輪２４１が設けられており什器１を移動できるようになっている。
（２）棚材支持材５
棚材支持材５は、棚材６を支持し、補助パネル（パネル）８を支持するために用いられる。竪材５１・横材５２・傾斜材５３で構築される三角形状のフレームで構成されている。棚材支持材５は、左右一対設けられている。
次いで、一対の棚材支持材５の間に配設される部材について説明する。左右の一対の棚材支持材５の間には、書籍や雑誌が下に落ちることを防止する板状の落下防止板５６が取り付けられている。さらに、竪材５１の上端部間に上連結材５４が着脱自在に取り付けられており、また、横材５２の前端部間に下連結材（連結材）５５が着脱自在に取り付けられている。
（３）棚材６
書籍や雑誌などを載置する棚材６は多数設けられおり、書籍や雑誌が前に落ちることを防止する落下防止フレーム６２が取り付けられている。また、最上部の棚材６の背面には、書籍や雑誌が背後に落ちることを防止する立設板６５が取り付けられている。さらに、棚材６の左右側面にはブラケット６１が取り付けられている。
（４）補助パネル（パネル）８
補助パネル（パネル）８は、什器１の下方前面を覆うものであり、第１棚部８１と第２棚部８２を備え、書籍や雑誌の陳列箇所を増やしている。また、補助パネル（パネル）８を取り付けるためのフック８３が、その上端に設けられている。
さらに、以上の構成要素に加え、必要に応じて取り外し自在の平板棚材７が構成要素に加えられる。
【０００８】
[棚材支持材]
図３は、実施例の棚材支持材５の説明図であり、図３（Ａ）は側面図、図３（Ｂ）斜視図、図３（Ｃ）は竪材５１の拡大正面図である。竪材５１と横材５２と傾斜材５３により三角形状のフレームで構成される棚材支持材５が作られる。竪材５１の後面には、棚材支持材係止爪５１１が上下２ヶ所に取り付けられている。柱２１に設けられた複数の第１係止孔２１１の中から、棚材支持材５の高さが適切な位置となるよう第１係止孔２１１を選び、棚材支持材係止爪５１１を引っ掛けて棚材支持材５を支持体２に取り付ける。
傾斜材５３の上面には、複数の第３係止孔５３３が設けられており、棚材６が取り付けられるようになっている。
また、竪材５１の正面には、図３（Ｃ）の竪材５１の拡大正面図のように複数の第２係止孔５１２が設けられている。この第２係止孔５１２は、傾斜材５３の上面に設けられた第３係止孔５３３と略同一形状をしており、棚材６を竪材５１にも取り付けられるようになっている。
次いで左右の棚材支持材５の間の部材について説明する。竪材５１の上方に設けられた上連結材締結孔５４１を用いて、棚材支持材５の三角形状の左右一対のフレーム間に、着脱自在の上連結材５４が締結される。横材５２の前方に設けられた下連結材締結孔５５１を用いて、左右一対の棚材支持材５の間に、着脱自在の下連結材（連結材）５５が締結される。これにより、棚材支持材５は、上下、左右、前後のいずれの方向にも変形しない強固な構造体となり、使い勝手が向上する。また、上述したように左右一対の棚材支持材５を上連結材５４と下連結材（連結材）５５を連結すると嵩張るところ、上連結材５４と下連結材（連結材）５５が着脱自在となっているため、分解して梱包しやすいようになっている。
図４は、落下防止板５６の取り付け説明図である。一対の棚材支持材５の傾斜材５３の内側には受材５３１が設けられており、受材５３１の上面に書籍や雑誌が下に落ちることを防ぐ落下防止板５６が取り付けられ固定される。
【０００９】
[棚板支持材のバリエーション]
図５の（Ａ）〜（Ｄ）は、棚板支持材のバリエーションの説明図である。（Ａ）台形のもの、（Ｂ）横材５２を有さないもの、（Ｃ）竪材５１を有さないもの、（Ｄ）四角形で傾斜材５３が直立しているものなど様々であるが、上連結材５４と下連結材５５で着脱自在に連結されている点で共通している。棚材支持材５は分解できず、溶接され強度が強いフレーム構造となっている。上連結材５４と下連結材５５を取り外すことで、当初立体物であったものが平面的に分解され、梱包しやすいようになっている。四角のフレームを有する棚板支持材５を有する態様については、ＣＤ等をフレーム内に収納するのに便利であり、丁度ＣＤが入るサイズとなっていてもよい。また、前面に第３係止孔５３３があるため、直立した傾斜材５３に棚材６を取り付けることもできる。
【００１０】
[棚材]
図６は棚材６の説明図であり、図６（Ａ）は棚材６の正面図、図６（Ｂ）は棚材６の側面図、図６（Ｃ）は、図６（Ａ）Ａ−Ａ間の断面図である。棚材６の底板６４の下方には、補強部６３が取り付けてあり、重量のある付録付き雑誌などが載置されても底板６４が撓まぬようになっている。また、底板６４の前方には、落下防止フレーム６２が左右にわたって設けられており、棚材６に書籍や雑誌を収納した際に落下防止フレーム６２の間から表紙が見えるように構成されている。
底板６４の下面には、ブラケット６１が左右一対固設されており、ブラケット６１の後側には、一対の棚材係止爪６１１が突出している。この棚材係止爪６１１は、棚材支持材５の傾斜材５３の上面にある第３係止孔５３３と係合するものである。複数設けられている第３係止孔５３３の中から適宜な位置の第３係止孔５３３を選び棚材係止爪６１１と係止することで、必要とされる位置に棚材６を配置できる。
【００１１】
図７は棚材６の設置説明図である。図７（Ａ）は棚材６を９対取り付けた例であり、図７(A-1)は傾斜材５３正面図である。前述したように傾斜材５３の上面には複数の第３係止孔５３３の中から雑誌や書籍等の厚さや冊数に応じた間隔となるよう第３係止孔５３３を選ぶ。そして、選んだ第３係止孔５３３に棚材係止爪６１１を係合することで、望みの間隔となるような位置に棚材６を設置できる。このように、複数の棚材６の位置を適宜変えて設置することで、隣接する棚材６と棚材６間の間隔を、最上段（１段目）の間隔１０８．４ｍｍ、２段目から８段目までは間隔４２．２ｍｍとし、最下段（９段目）の間隔を７３．０ｍｍといったように変更することができる。この時の載置面積合計は０．４２ｍ2である、この態様では、間隔の最も広い１０８．４ｍｍの最上段の棚材６には、コミックなどの厚い雑誌を複数冊陳列し、他の棚材６には多種類の書籍や雑誌を陳列できるように、棚材６の数を増やしている。
図７（Ｂ）は、棚材６を５対取り付けた例であり、図７(B-1)は竪材５１の正面図である。棚材６の数を９対から５対に減らすことにより、隣接する棚材６間の間隔をさらに拡張できる。棚材６を減らすことにより大型雑誌や、コミック誌のように厚い雑誌をさらに陳列することができるようになる。この態様では、載置合計面積が０．４４ｍ2になり、図７（Ａ）の態様の載置合計面積０．４２ｍ2より増加する。棚材６が４対減ったため、落下防止フレーム３対分の載置面積が増えたためである。このように、棚材６の数を適宜増減させることも可能であるし、棚材６の数は同じでも隣接する棚材６間の間隔を自由に調節することも可能であり、使い勝手が向上する。
棚材支持材５の竪材５１の正面側には、複数の第２係止孔５１２が設けてあり、棚材６の棚材係止爪６１１を係止できるようになっている。減らした４対の棚材６は、竪材５１の第２係止孔５１２に係止させて、棚材支持材５の裏のデッドスペースに収容できる。従来デッドスペースとして何も使われてこなかった空間を実施例では有効活用でき、使い勝手が向上する。
【００１２】
[平板棚材]
図２を参照されたい。平板棚材７の設置は任意であるが、書籍・雑誌の在庫等を入れるのに便利であり、取り付けることが好ましい。平板棚材７の背面には柱２１と対向して図示していない平板棚材係止爪が設けられ、柱２１に複数設けられた第１係止孔２１１と係合できるようになっている。そのため、平板棚材７は、適宜な位置に適宜な数取り付けることができる。
【００１３】
[什器の幅]
従来、通例の商品を陳列する什器１が横幅９０ｃｍであるのに対して、書籍・雑誌を陳列する什器１は横幅９５ｃｍとなっていた。コンビニエンスストアやスーパーマーケットにおいて、商品を陳列する什器１の一つを書籍・雑誌を陳列する什器１と入れ替えて、売り場のレイアウトを変更しようとすると、什器１の幅の差が５ｃｍあるため他の什器１を移動させて横幅９５ｃｍのスペースを作る必要があり、売り場のレイアウトの変更に支障が生じていた。
実施例では、什器１の横幅を９０ｃｍとすることで、商品を陳列する什器との入れ替えが効率的にできるようにした。しかも、支持体２を取り外して、柱２１に平板棚材７を多数取り付けると、通例の商品を陳列する什器１と同じ仕様とすることができる。また、平板棚材７など部材の共通化を図ることができ、コストダウンが可能となる。
【００１４】
[補助パネル（パネル）]
図８は、補助パネル（パネル）８を取り付けた什器１の斜視図である。什器１の棚材支持材５の下方には、補助パネル（パネル）８が取り付けられる。
図９は補助パネル（パネル）の説明図であり、図９は（Ａ）什器１の側面図、図９(A-1)は図９（Ａ）の枠内拡大図、図９（Ｂ）は補助パネル（パネル）８の側面図、図９（Ｃ）は補助パネル（パネル）８の正面図である。
補助パネル（パネル）８は上端にフック８３を有している。実施例の断面円形の下連結材（連結材）５５は、棚材支持材５を介して支持体２に支持されており、この下連結材（連結材）５５にフック８３が係合できるようになっている。補助パネル（パネル）８の下端背面側にはゴム足８４が設けてあり、什器１の底部に設けられた平板棚材７の上面にゴム足８４が当接することで補助パネル（パネル）８が安定して取り付けられる。下連結材（連結材）５５と補助パネル（パネル）８のフック８３は係合しているだけなので、補助パネル（パネル）８は、下連結材（連結材）５５に着脱自在に取り付けられていることとなる。
補助パネル（パネル）８には、第１棚部８１と第２棚部８２が設けられており、書籍や雑誌等を載置して陳列できるようになっている。そして、補助パネル（パネル）８は、棚板支持材５の前方に設けられた下連結材（連結材）５５に取り付けられているので、下連結材よりも後方で且つ下方の空間を隠すことができる。補助パネル（パネル）８により、平板棚材７上に収納される書籍や雑誌等の在庫品を隠すことができ、使い勝手が向上する。さらに、在庫品が隠れるので什器１の意匠性を高めることもできる。
このように、棚材支持材５の下連結材（連結材）５５は、棚材支持材５を介して支持体２に支持されており、補助パネル（パネル）８を着脱自在に取り付ける連結材として機能する。
前述したように補助パネル（パネル）８は、フック８３で下連結材（連結材）５５に係合されているだけであるため、図１０の矢印で示したように断面円形の下連結材（連結材）５５を軸として回動させて開閉することもできるし、また、着脱もしごく簡単である。また、実施例では、補助パネル（パネル）８を左右２枚に分割して什器１の前面を覆っているが、１枚の補助パネル（パネル）８で、什器１の前面を覆うようにしてもよいことは言うまでもない。
【００１５】
以上の実施例では、雑誌・書籍を陳列する什器１に関するものであるため、補助的な使い方をするので補助パネル（パネル）８として説明してきた。補助パネル（パネル）８は、どのような商品の陳列用の什器１にでも取り付けることが可能であり、補助的な使い方をしない什器１の構成部材とすることもできる。したがって、補助パネル（パネル）８を補助的に使わないパネルとする態様もあり得る。補助パネル（パネル）８をパネルとして使用する什器１がどのようなものであっても、連結材よりも後方で且つ下方の空間を隠すことができる。このように、パネルと使用しても、在庫品などを隠すスペースを作るとともに、第１棚部８１などの陳列スペースを前面に設けることもできるという作用効果に変わりはない。
【００１６】
[什器梱包]
図１に示すように、棚材６を支える左右一対の棚材支持材５は、上連結材５４と下連結材５５で連結されているがこれらの連結材が着脱自在であるため、棚材支持材５の三角形状の左右一対のフレームと上連結材５４と下連結材５５に分解できる。落下防止板５６も棚材支持材５の傾斜材５３から取り外せる。また、棚材６と平板棚材７と補助パネル（パネル）８は取り外すことができる。さらに、支持体２を構成する一対の柱２１と第１連結材２２と第２連結材２３と底部支持材２４と網材２５も分解できる。このように什器１を分解することで、きわめてコンパクトに梱包できるので使い勝手が向上する。
【００１７】
（実施例の変形例）
[補助パネル（パネル）の支持態様]
柱２１や棚板支持材５間を連結するものであれば、本発明でいう連結材となる。下連連結材（連結材）５５は、左右一対の棚板支持材５間を連結するため連結材となる。平板棚材７のようなものも、左右一対の柱２１の第１係止孔２１１に平板棚材係止爪（図示せず）を介して取り付けられており、連結材となり得る。
図１０は、補助パネル（パネル）８の取り付け例の説明図であり、図１０（Ａ）は平板棚材７を用いた例の側面図である。
前述したように、平板棚材７は、柱２１の複数設けられた第１係止孔２１１に取り付けられる。平板棚材７の前側であって左右端部の下部に一対の連結材ブラケット７２を取り付け、下連結材（連結材）５５を平板棚材７の下方に設置する。このように、平板棚材７を介して、下連結材（連結材）５５が支持体２の一対の柱２１に支持される。
下連結材（連結材）５５に補助パネル（パネル）８のフック８３を取り付ければ、着脱自在の補助パネル（パネル）８付きの什器１とすることができる。
また、平板棚材７は、支持体２の左右の柱２１を連結するものであるため、平板棚材７自身を連結材としてもよい。この態様では、連結材である平板棚材７に補助パネル（パネル）８のフック８３を係合する係合孔（図示せず）が平板棚材７に直接設けられる。
前述したように、実施例の什器１は幅が９０ｃｍであり、通常の商品を陳列する什器１としても使用できる。書籍や雑誌を陳列する什器１から、補助パネル（パネル）８付きの商品陳列什器１とすることが可能で、使い勝手が向上する。
【００１８】
また、図１０（Ｂ）は、補助パネル（パネル）８の取り付け専用のパネル支持材９を用いた例の側面図である。一対の柱２１に、それぞれ一対のパネル支持材９を取り付ける。そして、パネル支持材９は、柱２１の前方に突出するように設けられる。一対のパネル支持材９の間には、下連結材（連結材）５５が取り付けられ、下連結材（連結材）５５に補助パネル（パネル）８のフック８３を係合させることで、補助パネル（パネル）８を設置できる。パネル支持材９の高さは自由に調整でき、補助パネル（パネル）８を適宜位置に取り付けることができるので、使い勝手が向上する。
【００１９】
なお、部品の共通化を図るため、上記実施例では棚材支持材５に用いる下連結材５５を、補助パネル（パネル）８を着脱自在に取り付ける連結材として使用したが、別途、補助パネル（パネル）８専用の連結材を使用してもよいことは言うまでもない。
さらに、実施例では、補助パネル（パネル）８にフック８３を取り付けて、下連結材（連結材）５５に着脱自在にしたが、フック８３に限らず、着脱自在または開閉自在にできれば如何なる構造の接手でもよい。例えば、下連結材（連結材）５５に開閉自在とするために下連結材（連結材）５５に蝶番等を取り付けてもよい。上記実施例および変形例のすべてについて、着脱自在または開閉自在にできる部材を連結材に取り付けてもよい。
図１１は平板棚材７に設けた補助パネル係止孔７１の説明図である。一対の柱２１間に取り付けられた平板棚材７は、支持材として機能し、その前面に補助パネル（パネル）８のフック８３を係止する補助パネル係止孔７１が設けてある。このように、図１１は、補助パネル（パネル）８を着脱自在または開閉自在とする構造が多様性をもつことを説明している。
【００２０】
以上、本発明に係る実施例について、図面を参照して詳述し、多様な変更可能な態様を説明してきたが、具体的な構成は、これらの実施の態様に限られるものではなく、本発明の要旨を逸脱しない範囲の設計の変更等があっても本発明に含まれる。
【００２１】
また、前述の実施例および多様な態様は、その目的および構成等に特に矛盾や問題がない限り、互いの技術を流用して組み合わせることが可能である。
【符号の説明】
【００２２】
１          什器
２          支持体
２１        柱
２１１      第１係止孔
２２        第１連結材
２３        第２連結材
２４        底部支持材
２４１      車輪
２５        網材
５          棚材支持材
５１        竪材
５１１      棚材支持材係止爪
５１２      第２係止孔
５２        横材
５３        傾斜材
５３１      受材
５３３      第３係止孔
５４        上連結材
５４１      上連結材締結孔
５５        下連結材（連結材）
５５１      下連結材締結孔
５６        落下防止板
６          棚材
６１        ブラケット
６１１      棚材係止爪
６２        落下防止フレーム
６３        補強部
６４        底板
６５        立設板
７          平板棚材
７１        補助パネル係止孔
７２        連結材ブラケット
８          補助パネル
８１        第１棚部
８２        第２棚部
８３        フック
８４        ゴム足
９          パネル支持材
【図１】
2022001105.tif 000003
【図２】
2022001105.tif 000004
【図３】
2022001105.tif 000005
【図４】
2022001105.tif 000006
【図５】
2022001105.tif 000007
【図６】
2022001105.tif 000008
【図７】
2022001105.tif 000009
【図８】
2022001105.tif 000010
【図９】
2022001105.tif 000011
【図１０】
2022001105.tif 000012
【図１１】
2022001105.tif 000013